(57)【要約】本発明は、全体としてほぼ均一な色調の照明光が得られる照明装置を提供することを目的とする。本発明の照明装置１２は、複数の光源実装基板２０と、前記光源実装基板２０に実装された複数の点状光源１７と、を備え、前記光源実装基板２０の各々における前記複数の点状光源１７の平均した色調は、ＣＩＥ１９３１座標においてｘ座標距離が０．０１５とされる対向する２辺とｙ座標距離が０．０１５とされる対向する２辺とで囲まれる色調同等領域Ｈに属していることを特徴とする。
2010147007.tif 000002
【特許請求の範囲】
【請求項１】
複数の光源実装基板と、
前記光源実装基板に実装された複数の点状光源と、を備え、
前記光源実装基板の各々における前記複数の点状光源の平均した色調は、ＣＩＥ１９３１座標においてｘ座標距離が０．０１５とされる対向する２辺とｙ座標距離が０．０１５とされる対向する２辺とで囲まれる色調同等領域に属していることを特徴とする照明装置。
【請求項２】
前記点状光源は、その色調に応じて、ＣＩＥ１９３１座標において前記色調同等領域を包括する一辺が座標長さ０．０１５の四角形をなす第１色調ランクと、当該第１色調ランクと互いに隣り合う一辺が座標長さ０．０１５の四角形をなす第２色調ランク及び第３色調ランクとに属するものとされ、
前記光源実装基板は、前記第１色調ランク及び前記第２色調ランクに属する前記点状光源が実装された第１光源実装基板と、前記第１色調ランク及び前記第３色調ランクに属する前記点状光源が実装された第２光源実装基板とを有し、
前記第１光源実装基板と前記第２光源実装基板とが交互に配置されていることを特徴とする請求項１に記載の照明装置。
【請求項３】
前記第１光源実装基板においては、前記第１色調ランクに属する前記点状光源と、前記第２色調ランクに属する前記点状光源とが交互に配置されていることを特徴とする請求項２に記載の照明装置。
【請求項４】
前記第１光源実装基板においては、前記第１色調ランクに属する前記点状光源と、前記第２色調ランクに属する前記点状光源とが交互に配置されており、
前記第２光源実装基板においては、前記第１色調ランクに属する前記点状光源と、前記第３色調ランクに属する前記点状光源とが交互に配置されていることを特徴とする請求項２に記載の照明装置。
【請求項５】
前記点状光源は、その色調に応じて、ＣＩＥ１９３１座標において前記色調同等領域を包括する一辺が座標長さ０．０１５の四角形をなす第１色調ランクと、当該第１色調ランクと隣り合う一辺が座標長さ０．０１５の四角形をなす第２色調ランクに属するものとされ、
前記光源実装基板は、前記第１色調ランクに属する前記点状光源が実装された第３光源実装基板と、前記第１色調ランク及び前記第２色調ランクに属する前記点状光源が実装された第４光源実装基板とを有し、
前記第３光源実装基板と前記第４光源実装基板とが交互に配置されていることを特徴とする請求項１に記載の照明装置。
【請求項６】
前記第４光源実装基板においては、前記第１色調ランクに属する前記点状光源と、前記第２色調ランクに属する前記点状光源とが交互に配置されていることを特徴とする請求項５に記載の照明装置。
【請求項７】
前記光源実装基板は長手状をなし、
前記複数の点状光源は、前記光源実装基板の長手方向に沿って直線上に配置されていることを特徴とする請求項１から請求項６のいずれか１項に記載の照明装置。
【請求項８】
前記複数の点状光源は、１つの前記光源実装基板上に等間隔で配置されていることを特徴とする請求項１から請求項７のいずれか１項に記載の照明装置。
【請求項９】
前記光源実装基板は、長手状をなし、その長手方向に沿って複数配置され、
隣り合う前記光源実装基板同士はコネクタにより接続されていることを特徴とする請求項１から請求項８のいずれか１項に記載の照明装置。
【請求項１０】
前記コネクタは、互いに嵌合する第１コネクタと第２コネクタとからなり、
前記第１コネクタ及び前記第２コネクタのうち少なくとも一方は、前記光源実装基板の長手方向の端部より外側に延設されていることを特徴とする請求項９に記載の照明装置。
【請求項１１】
前記コネクタは、アイボリー又は白色を呈することを特徴とする請求項９又は請求項１０に記載の照明装置。
【請求項１２】
前記光源実装基板を収容する平面視矩形状のシャーシを備え、
前記光源実装基板は、その長手方向が前記シャーシの長辺方向と一致する形で配置されていることを特徴とする請求項１から請求項１１のいずれか１項に記載の照明装置。
【請求項１３】
前記点状光源は、発光ダイオードであることを特徴とする請求項１から請求項１２のいずれか１項に記載の照明装置。
【請求項１４】
前記点状光源は、青色発光チップに、黄色の領域に発光ピークを持つ蛍光体を塗布することにより白色発光する発光ダイオードであることを特徴とする請求項１から請求項１３のいずれか１項に記載の照明装置。
【請求項１５】
前記点状光源は、青色発光チップに、緑色及び赤色の領域に発光ピークを持つ蛍光体を塗布することにより白色発光する発光ダイオードであることを特徴とする請求項１から請求項１３のいずれか１項に記載の照明装置。
【請求項１６】
前記点状光源は、青色発光チップに、緑色の領域に発光ピークを持つ蛍光体を塗布するとともに、赤色チップを組み合わせることにより白色発光する発光ダイオードであることを特徴とする請求項１から請求項１３のいずれか１項に記載の照明装置。
【請求項１７】
前記点状光源は、青色、緑色、及び赤色の発光チップを組み合わせることにより白色発光する発光ダイオードであることを特徴とする請求項１から請求項１３のいずれか１項に記載の照明装置。
【請求項１８】
前記点状光源は、紫外光発光チップと蛍光体とからなることを特徴とする請求項１から請求項１３のいずれか１項に記載の照明装置。
【請求項１９】
前記点状光源は、紫外光発光チップと、青色、緑色、及び赤色の領域に発光ピークを持つ蛍光体とからなることを特徴とする請求項１から請求項１３のいずれか１項に記載の照明装置。
【請求項２０】
前記点状光源は、電気的に直列に接続されていることを特徴とする請求項１から請求項１９のいずれか１項に記載の照明装置。
【請求項２１】
前記光源実装基板には、前記点状光源を覆う形で、当該点状光源からの光を拡散可能な拡散レンズが取り付けられていることを特徴とする請求項１から請求項２０のいずれか１項に記載の照明装置。
【請求項２２】
前記拡散レンズは、光を拡散可能な光拡散部材であることを特徴とする請求項２１に記載の照明装置。
【請求項２３】
前記拡散レンズは、前記光源実装基板側の面に表面粗し処理が施されていることを特徴とする請求項２１又は請求項２２に記載の照明装置。
【請求項２４】
複数の光源実装基板と、
前記光源実装基板に実装された複数の点状光源と、を備え、
前記光源実装基板の各々における前記複数の点状光源の平均した色調は、ＣＩＥ１９３１座標においてｘ座標距離が所定距離とされる対向する２辺とｙ座標距離が所定距離とされる対向する２辺とで囲まれる色調同等領域に属しており、
前記点状光源は、その色調に応じて、ＣＩＥ１９３１座標において前記色調同等領域を包括する第１色調ランクと、当該第１色調ランクと互いに隣り合う第２色調ランク及び第３色調ランクとに属するものとされ、
前記光源実装基板は、前記第１色調ランク及び前記第２色調ランクに属する前記点状光源が実装された第１光源実装基板と、前記第１色調ランク及び前記第３色調ランクに属する前記点状光源が実装された第２光源実装基板とを有し、
前記第１光源実装基板と前記第２光源実装基板とが交互に配置されていることを特徴とする照明装置。
【請求項２５】
請求項１から請求項２４のいずれか１項に記載の照明装置と、
前記照明装置からの光を利用して表示を行う表示パネルと、を備えることを特徴とする表示装置。
【請求項２６】
前記表示パネルが液晶を用いた液晶パネルであることを特徴とする請求項２５に記載の表示装置。
【請求項２７】
請求項２５又は請求項２６に記載された表示装置を備えることを特徴とするテレビ受信装置。
【発明の詳細な説明】
【技術分野】
【０００１】
本発明は、照明装置、表示装置、及びテレビ受信装置に関する。
【背景技術】
【０００２】
例えば、液晶テレビなどの液晶表示装置に用いる液晶パネルは、自発光しないため、別途に照明装置としてバックライト装置を必要とする。このバックライト装置は、液晶パネルの裏側（表示面とは反対側）に設置されるものが周知であり、多数個の光源（例えばＬＥＤ）を備える。【０００３】
かかるバックライト装置には白色ＬＥＤを搭載する構成が知られているが、当該白色ＬＥＤは、白色の中でも色調にばらつきが生じることが多い。そこで、色調にばらつきのある白色ＬＥＤを用いて、所定の白色光を照射することが可能な装置として特許文献１に記載の装置が知られている。この装置では、白色ＬＥＤの配列を調整することにより、所定の白色光を得ることが可能となっている。
【先行技術文献】
【特許文献】
【０００４】
【特許文献１】特開２００９−５４５６３号公報
【０００５】
（発明が解決しようとする課題）
しかしながら、特許文献１に開示された装置では、最短距離にある２つの白色ＬＥＤの中心光量が各白色ＬＥＤから出る光量の総計を平均した値の８０％〜１２０％になるように各白色ＬＥＤを配置しなければならず、白色ＬＥＤの配置設計が難しく、また配置に膨大な労力を要するという課題がある。
【発明の概要】
【０００６】
本発明は、上記のような事情に基づいてなされたものであって、全体としてほぼ均一な色調の照明光が得られる照明装置を提供することを目的としている。また、本発明は、そのような照明装置を備えた表示装置、さらに、そのような表示装置を備えたテレビ受信装置を提供することを目的とする。
【０００７】
（課題を解決するための手段）
上記課題を解決するために、本発明の照明装置は、複数の光源実装基板と、前記光源実装基板に実装された複数の点状光源と、を備え、前記光源実装基板の各々における前記複数の点状光源の平均した色調は、ＣＩＥ１９３１座標においてｘ座標距離が０．０１５とされる２辺とｙ座標距離が０．０１５とされる２辺とで囲まれる色調同等領域に属していることを特徴とする。
【０００８】
一般に点状光源は色調のばらつきが生じ易く、当該ばらつきは照明装置の色調ムラの原因となり得る。そこで、本発明では、これら点状光源が実装される光源実装基板の各々の平均した色調の範囲を規定することで、照明装置の色調ムラを抑制するものとしている。具体的には、各々の光源実装基板における平均した色調が、ＣＩＥ１９３１座標においてｘ座標距離が０．０１５とされる対向する２辺とｙ座標距離が０．０１５とされる対向する２辺とで囲まれる色調同等領域に属する構成とした。ここで、ＣＩＥ１９３１座標においてｘ座標距離が０．０１５とされる２辺とｙ座標距離が０．０１５とされる２辺とで囲まれる色調同等領域とは、色調が同等とされ、色調のムラが視認され難い範囲を示す。このような構成によれば、光源実装基板同士の間で色調ムラが生じ難く、全体として色調が平均化され、特に動画表示において、ほぼ均一な色調の照明光を得ることが可能となる。
【０００９】
また、前記点状光源は、その色調に応じて、ＣＩＥ１９３１座標において前記色調同等領域を包括する一辺が座標長さ０．０１５の四角形をなす第１色調ランクと、当該第１色調ランクと互いに隣り合う一辺が座標長さ０．０１５の四角形をなす第２色調ランク及び第３色調ランクとに属するものとされ、前記光源実装基板は、前記第１色調ランク及び前記第２色調ランクに属する前記点状光源が実装された第１光源実装基板と、前記第１色調ランク及び前記第３色調ランクに属する前記点状光源が実装された第２光源実装基板とを有し、前記第１光源実装基板と前記第２光源実装基板とが交互に配置されているものとすることができる。
このような構成によれば、交互に配置される第１光源実装基板と第２光源実装基板との間で、それぞれの平均した色調が互いに大きく異なることがないため、色調ムラの発生を抑制することが可能となる。なお、四角形の一辺が座標長さ０．０１５であるとは、当該四角形の隣り合う２つの頂点を結んだ１辺の実際の長さが０．０１５をなすことをいう。
【００１０】
前記第１光源実装基板においては、前記第１色調ランクに属する前記点状光源と、前記第２色調ランクに属する前記点状光源とが交互に配置されているものとすることができる。
また、前記第１光源実装基板においては、前記第１色調ランクに属する前記点状光源と、前記第２色調ランクに属する前記点状光源とが交互に配置されており、前記第２光源実装基板においては、前記第１色調ランクに属する前記点状光源と、前記第３色調ランクに属する前記点状光源とが交互に配置されているものとすることができる。
このような構成によれば、それぞれの光源実装基板内においても、隣り合う点状光源が隣り合う色調ランクに属するため、互いの色調が大きく異なることがないため、特に動画表示において、色調ムラの発生をより一層抑制することが可能となる。
【００１１】
前記点状光源は、その色調に応じて、ＣＩＥ１９３１座標において前記色調同等領域を包括する一辺が座標長さ０．０１の四角形をなす第１色調ランクと、当該第１色調ランクと隣り合う一辺が座標長さ０．０１の四角形をなす第２色調ランクに属するものとされ、前記光源実装基板は、前記第１色調ランクに属する前記点状光源が実装された第３光源実装基板と、前記第１色調ランク及び前記第２色調ランクに属する前記点状光源が実装された第４光源実装基板とを有し、前記第３光源実装基板と前記第４光源実装基板とが交互に配置されているものとすることができる。
このような構成によれば、交互に配置される第１光源実装基板と第２光源実装基板との間で、それぞれの平均した色調が互いに大きく異なることがないため、色調ムラの発生を抑制することが可能となる。なお、四角形の一辺が座標長さ０．０１であるとは、当該四角形の隣り合う２つの頂点を結んだ１辺の実際の長さが０．０１をなすことをいう。
【００１２】
前記第４光源実装基板においては、前記第１色調ランクに属する前記点状光源と、前記第２色調ランクに属する前記点状光源とが交互に配置されているものとすることができる。
このような構成によれば、それぞれの光源実装基板内においても、隣り合う点状光源が隣り合う色調ランクに属するため、互いの色調が大きく異なることがないため、色調ムラの発生をより一層抑制することが可能となる。
【００１３】
前記光源実装基板は長手状をなし、前記複数の点状光源は、前記光源実装基板の長手方向に沿って直線上に配置されているものとすることができる。
この場合、光源実装基板の設置態様により点状光源の設置態様が一義的に決まるため、点状光源の配置の設計が容易となる。
【００１４】
前記複数の点状光源は、１つの前記光源実装基板上に等間隔で配置されているものとすることができる。
この場合、光源実装基板によって点状光源の配置態様が変更されないため、照明装置のサイズが変更されても光源実装基板を使いまわすことが可能となる。
【００１５】
前記光源実装基板は、長手状をなし、その長手方向に沿って複数配置され、隣り合う前記光源実装基板同士はコネクタにより接続されているものとすることができる。
このような構成によれば、例えば長さの異なる、言い換えれば配置された点状光源の個数が異なる光源実装基板を数種類用意しておくことにより、照明装置のサイズ（長さ）が異なる場合にも、光源実装基板同士をコネクタにより連結することで各サイズに対応することができる。したがって、照明装置のサイズごとにそれぞれ光源実装基板を用意する必要がなく、コスト削減に寄与することが可能となる。
【００１６】
前記コネクタは、互いに嵌合する第１コネクタと第２コネクタとからなり、前記第１コネクタ及び前記第２コネクタのうち少なくとも一方は、前記光源実装基板の長手方向の端部より外側に延設されているものとすることができる。
このような構成によれば、隣り合う光源実装基板を第１コネクタと第２コネクタとで接続する際に、第１コネクタ及び第２コネクタのうち少なくとも一方が光源実装基板の外側に延設されているため、第１コネクタと第２コネクタとの嵌合を円滑に行うことが可能となる。
【００１７】
前記コネクタは、アイボリー又は白色を呈するものとすることができる。
この場合、コネクタは比較的光反射率が高いものとなるため、当該コネクタにおいて光を吸収し難く、輝度ムラの発生を抑制することが可能となる。
【００１８】
前記光源実装基板を収容する平面視矩形状のシャーシを備え、前記光源実装基板は、その長手方向が前記シャーシの長辺方向と一致する形で配置されているものとすることができる。
このような構成によれば、シャーシの短辺方向と光源実装基板の長手方向とを一致させる場合に比べて光源実装基板の数を減少させることが可能となる。したがって、例えば点状光源の点灯・消灯を制御する制御ユニットの数を減少させることができるため、低コスト化を実現することが可能となる。
【００１９】
前記点状光源は、発光ダイオードとすることができる。
この場合、光源の長寿命化並びに低消費電力化などを図ることが可能となる。
【００２０】
前記点状光源は、青色発光チップに、黄色の領域に発光ピークを持つ蛍光体を塗布することにより白色発光する発光ダイオードとすることができる。
また、前記点状光源は、青色発光チップに、緑色及び赤色の領域に発光ピークを持つ蛍光体を塗布することにより白色発光する発光ダイオードとすることができる。
あるいは、前記点状光源は、青色発光チップに、緑色の領域に発光ピークを持つ蛍光体を塗布するとともに、赤色チップを組み合わせることにより白色発光する発光ダイオードとすることができる。
さらには、前記点状光源は、青色、緑色、及び赤色の発光チップを組み合わせることにより白色発光する発光ダイオードとすることができる。
このような、白色発光する発光ダイオードを用いる場合、白色の中でも例えば青味がかったりすることで色調にばらつきが生じ易い。そこで、本発明の構成を適用することにより、色調が全体として平均化され、ほぼ均一な色調の照明光を得ることが可能となる。
【００２１】
前記点状光源は、紫外光発光チップと蛍光体とからなるものとすることができる。
特に、前記点状光源は、紫外光発光チップと、青色、緑色、及び赤色の領域に発光ピークを持つ蛍光体とからなるものとすることができる。
このような光源においても、色調にばらつきが生じ易いものの、本発明の構成を適用することにより、色調が全体として平均化され、ほぼ均一な色調の照明光を得ることが可能となる。
【００２２】
前記点状光源は、電気的に直列に接続されているものとすることができる。
これにより、各点状光源に供給される電流を同一とすることができ、各点状光源からの発光量を均一化することができるため、当該照明装置の照明面における輝度均一性を向上させることが可能となる。
【００２３】
前記光源実装基板には、前記点状光源を覆う形で、当該点状光源からの光を拡散可能な拡散レンズが取り付けられているものとすることができる。
この場合、拡散レンズによって光が拡散されるため、隣り合う点状光源同士の間隔を大きくした場合にも、点状のランプイメージが発生し難い。したがって、配置する点状光源を削減することで低コスト化しつつ、ほぼ均一な輝度分布を得ることが可能となる。また、このような拡散レンズを設けることにより、各点状光源の光を混色することができ、色ムラの低減効果が得られるため、更なる色度均一性を図ることができる。
【００２４】
前記拡散レンズは、光を拡散可能な光拡散部材とすることができる。
この場合、拡散レンズにより良好な光の拡散を行うことが可能となる。
【００２５】
前記拡散レンズは、前記光源実装基板側の面に表面粗し処理が施されているものとすることができる。
このように、拡散レンズに例えばシボ処理等の表面粗し処理を行うことにより、より一層良好な光の拡散を行うことが可能となる。
【００２６】
次に、上記課題を解決するために、本発明の表示装置は、上述した照明装置と、当該照明装置からの光を利用して表示を行う表示パネルと、を備えることを特徴とする。
このような表示装置によると、照明装置において全体としてほぼ均一な色調の照明光が得られるため、当該表示装置においても表示ムラが抑制された良好な表示を実現することが可能となる。
【００２７】
前記表示パネルとしては液晶パネルを例示することができる。このような表示装置は液晶表示装置として、種々の用途、例えばテレビやパソコンのディスプレイ等に適用でき、特に大型画面用として好適である。
【００２８】
また、本発明のテレビ受信装置は、上記表示装置を備えることを特徴とする。
このようなテレビ受信装置によると、表示ムラのない視認性に優れた装置を提供することが可能となる。
【００２９】
（発明の効果）
本発明の照明装置によると、全体としてほぼ均一な色調の照明光を得ることが可能となる。また、本発明の表示装置によると、そのような照明装置を備えてなるため、表示ムラが抑制された良好な表示を実現することが可能となる。また、本発明のテレビ受信装置によると、そのような表示装置を備えてなるため、表示ムラのない視認性に優れた装置を提供することが可能となる。
【図面の簡単な説明】
【００３０】
【図１】本発明の実施形態１に係るテレビ受信装置の概略構成を示す分解斜視図
【図２】テレビ受信装置が備える液晶表示装置の概略構成を示す分解斜視図
【図３】液晶表示装置の長辺方向に沿った断面構成を示す断面図
【図４】液晶表示装置の短辺方向に沿った断面構成を示す断面図
【図５】シャーシにおけるＬＥＤ基板の配置態様を示す平面図
【図６】ＬＥＤ基板に取り付けられた部材の構成を示す要部拡大断面図
【図７】ＬＥＤ基板に取り付けられた部材の構成を示す要部拡大平面図
【図８】各ＬＥＤ基板におけるＬＥＤの平均した色調を説明する模式図
【図９】ＣＩＥ（国際照明委員会）による１９３１年策定の色度図
【図１０】図７における色調同等領域を示す要部拡大図
【図１１】本発明の実施形態２に係るバックライト装置に備わるＬＥＤのＣＩＥ（国際照明委員会）による１９３１年策定の色度図における色調ランクを示す要部拡大図
【図１２】ＬＥＤ基板における各色調ランクのＬＥＤの配置態様を説明する模式図
【図１３】ＬＥＤ基板における各色調ランクのＬＥＤの異なる配置態様を説明する模式図
【図１４】ＬＥＤ基板における各色調ランクのＬＥＤのさらに異なる配置態様を説明する模式図
【図１５】ＬＥＤ基板における各色調ランクのＬＥＤのさらに異なる配置態様を説明する模式図
【図１６】本発明の実施形態２に係るバックライト装置に備わるＬＥＤのＣＩＥ（国際照明委員会）による１９３１年策定の色度図における色調ランクを示す要部拡大図
【図１７】ＬＥＤ基板における各色調ランクのＬＥＤの配置態様を説明する模式図
【発明を実施するための形態】
【００３１】
＜実施形態１＞
本発明の実施形態１を図１ないし図１０によって説明する。
まず、液晶表示装置１０を備えたテレビ受信装置ＴＶの構成について説明する。
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴと、スタンドＳとを備えて構成される。液晶表示装置（表示装置）１０は、全体として横長の方形を成し、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。
【００３２】
次に、液晶表示装置１０を構成する液晶パネル１１及びバックライト装置１２について説明する（図２ないし図４参照）。
液晶パネル（表示パネル）１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板が配されている。
【００３３】
バックライト装置１２は、図２に示すように、光出射面側（液晶パネル１１側）に開口した略箱型をなすシャーシ１４と、シャーシ１４の開口部を覆うようにして配される光学シート群１５（拡散板１５ａと、拡散板１５ａと液晶パネル１１との間に配される複数の光学シート１５ｂ）と、シャーシ１４の外縁に沿って配され拡散板１５ａの外縁部をシャーシ１４との間で挟んで保持するフレーム１６とを備える。さらに、シャーシ１４内には、発光ダイオード（点状光源、以下ＬＥＤと称する）１７が配置されている。なお、当該バックライト装置１２においては、ＬＥＤ１７よりも拡散板１５ａ側が光出射側となっている。
【００３４】
シャーシ１４は、金属製とされ、液晶パネル１１と同様に矩形状をなす底板１４ａと、底板１４ａの各辺の外端から立ち上がる側板１４ｂと、各側板１４ｂの立ち上がり端から外向きに張り出す受け板１４ｃとを有し、全体として表側に向けて開口した浅い略箱型をなしている。図３及び図４に示すように、シャーシ１４の受け板１４ｃには、フレーム１６が載置されており、当該受け板１４ｃとフレーム１６との間で後述する反射シート１８及び光学シート群１５の外縁部が挟持されている。さらに、フレーム１６の上面には、取付孔１６ａが穿設されており、ネジ１９等によりベゼル１３、フレーム１６、及びシャーシ１４等を一体化することが可能とされている。
【００３５】
シャーシ１４の開口部側には拡散板１５ａ及び光学シート１５ｂとからなる光学シート群１５が配設されている。拡散板１５ａは、合成樹脂製の板状部材に光散乱粒子が分散配合されてなり、点状の光源たるＬＥＤ１７から出射される点状の光を拡散する機能を有する。拡散板１５ａの外縁部は上記したようにシャーシ１４の受け板１４ｃ上に載置されており、上下方向の強固な拘束力を受けないものとされている。
【００３６】
拡散板１５ａ上に配される光学シート１５ｂは、拡散板１５ａに比して板厚が薄いシート状をなしており、２枚が積層して配されている。光学シート１５ｂの具体的な種類としては、例えば拡散シート、レンズシート、反射型偏光シートなどがあり、これらの中から適宜選択して使用することが可能である。この光学シート１５ｂは、ＬＥＤ１７から出射され、拡散板１５ａを通過した光を面状の光とする機能を有する。当該光学シート１５ｂの上面側には液晶パネル１１が設置されている。
【００３７】
一方、シャーシ１４の底板１４ａ及び側板１４ｂの内面側には、そのほぼ全体を覆う形で反射シート１８が配設されている。反射シート１８は、合成樹脂製とされ、その表面が光反射性に優れた白色とされている。この反射シート１８のうち、後述する拡散レンズ２１と対応する位置には、孔部１８ａが形成されている。したがって、反射シート１８によりシャーシ１４の底板１４ａ全体が覆われるものの、この孔部１８ａを通じて、拡散レンズ２１は、光学シート群１５側へ露出する構成となっている。また、反射シート１８は、底板１４ａの縁部において斜めに立ち上がり、側板１４ｂの内面側を覆う構成となっており、その外縁部がシャーシ１４の受け板１４ｃに載置されている。この反射シート１８により、ＬＥＤ１７から出射された光を拡散板１５ａ側に反射させることが可能となっている。
【００３８】
さらに、シャーシ１４の底板１４ａの内面側には、ＬＥＤ１７及び拡散レンズ２１が取り付けられたＬＥＤ基板（光源実装基板）２０が設置されている。ＬＥＤ基板２０は、合成樹脂製であり、その表面に銅箔などの金属膜からなる配線パターン（図示せず）が形成された構成とされる。ＬＥＤ基板２０は、図５に示すように、長手状の板状部材とされ、その長手方向がシャーシ１４の長辺方向（Ｘ軸方向）と一致する形で配置されている。より詳細には、シャーシ１４の長辺方向に沿って、３つのＬＥＤ基板２０，２０，２０同士がその長手方向を同じくした形で配置され、互いにコネクタ２２により電気的・物理的に接続されている。さらに、シャーシ１４の短辺方向（Ｙ軸方向）にみると、直列に接続された３つのＬＥＤ基板２０，２０，２０が９列並列配置されている。これらＬＥＤ基板２０には、図示しない外部の制御ユニットが接続されていて、当該制御ユニットからＬＥＤ１７の点灯に必要な電力が供給されるとともにＬＥＤ１７の駆動制御が可能となっている。
【００３９】
隣り合うＬＥＤ基板２０，２０を接続するコネクタ２２は、光反射性に優れた白色とされる。コネクタ２２は、図５中、相対的に左側に位置するＬＥＤ基板２０に取り付けられた第１コネクタ２２ａと、相対的に右側に位置するＬＥＤ基板２０に取り付けられた第２コネクタ２２ｂとからなる。ここで、第１コネクタ２２ａは、ＬＥＤ基板２０の長手方向の端部より外側に延設されており、当該第１コネクタ２２ａと第２コネクタ２２ｂとが互いに嵌合されることによりＬＥＤ基板２０，２０同士の接続が完了する。
【００４０】
各ＬＥＤ基板２０には、６個のＬＥＤ１７が、当該ＬＥＤ基板２０の長手方向に沿って直線上に（一列に）配置されている。より詳細には、６個のＬＥＤ１７は、各ＬＥＤ基板２０上に等間隔で表面実装されている。これらＬＥＤ１７は、青色を単色発光する青色発光チップに、黄色の領域に発光ピークを持つ蛍光体を塗布することで白色発光するものとされている。各ＬＥＤ１７は、ＬＥＤ基板２０に形成された配線パターン（図示せず）によりＬＥＤ基板２０の長手方向に沿って直列に電気的接続されている。なお、ＬＥＤ１７は、例えば青色発光チップに、緑色及び赤色の領域に発光ピークを持つ蛍光体を塗布することにより白色発光するものとしてもよい。また、ＬＥＤ１７は、青色発光チップに、緑色の領域に発光ピークを持つ蛍光体を塗布するとともに、赤色チップを組み合わせることにより白色発光するものとしてもよい。さらには、ＬＥＤ１７は、青色、緑色、及び赤色の発光チップを組み合わせることにより白色発光するものとしてもよい。
【００４１】
さらに、ＬＥＤ基板２０には、図６に示すように、各々のＬＥＤ１７を覆う形で略半円球状の拡散レンズ２１が取り付けられている。拡散レンズ２１は、光拡散性に優れた光拡散部材とされ、例えばアクリルなどの合成樹脂製とされる。拡散レンズ２１の下面の周縁部には、３つの脚部２３が突設されている。図７に示すように、３つの脚部２３は、拡散レンズ２１の周縁部に沿ってほぼ等間隔（約１２０度間隔）で配置されており、例えば、接着剤や熱硬化性樹脂でＬＥＤ基板２０の表面に固定されている。拡散レンズ２１の下面（ＬＥＤ１７及びＬＥＤ基板２０と対向する面）のうちＬＥＤ１７と平面視重畳する部位には上方側に窪んだ状態の略円錐形の入射凹部２１ａが形成されており、この入射凹部２１ａにＬＥＤ１７からの光が入射される。当該拡散レンズ２１の下面には、シボ処理等の表面粗し処理が施されている。一方、拡散レンズ２１の上面（拡散板１５ａと対向する面）には、中央部（ＬＥＤ１７と平面視重畳する部位）に下方側へ窪んだ状態の凹部２１ｂが形成され、２つの緩やかな円弧が連なった形の出射面２１ｃが形成されている。ＬＥＤ１７から出射された光は、空気層と入射凹部２１ａ、及び出射面２１ｃと空気層との間で屈折することにより、面状に拡散され、広角の範囲に亘って凹部２１ｂ及び出射面２１ｃから拡散板１５ａ側へ照射される。
【００４２】
上記したＬＥＤ基板２０は、リベット２４によりシャーシ１４の底板１４ａに固定されている。リベット２４は、円盤状の押え部２４ａと、当該押え部２４ａから下方側へ突出する係止部２４ｂとを有する。ＬＥＤ基板２０には、係止部２４ｂを挿通するための挿通孔２０ｃが穿設されており、またシャーシ１４の底板１４ａには、当該挿通孔２０ｃと連通する取付孔１４ｄが穿設されている。リベット２４の係止部２４ｂの先端部は弾性変形可能な幅広部となっており、挿通孔２０ｃ及び取付孔１４ｄに挿通された後、シャーシ１４の底板１４ａの裏面側に係止可能となっている。これにより、リベット２４は、押え部２４ａでＬＥＤ基板２０を押えつつ、当該ＬＥＤ基板２０を底板１４ａに固定可能となっている。
【００４３】
また、図２に示すように、リベット２４のうち、シャーシ１４の底板１４ａの中央部付近に位置するリベット２４の表面には、支持ピン２５が突設されている。支持ピン２５は、先細りする円錐形とされており、拡散板１５ａが下方側へ撓んだ際に、当該拡散板１５ａと支持ピン２５の先端とが点接触することにより、拡散板１５ａを下方から支持することが可能となっている。また、この支持ピン２５を把持することにより、リベット２４の取り扱いが容易となるという機能も有している。
【００４４】
ところで、上述した白色発光するＬＥＤ１７は、全て同一色調の白色となるわけではなく、白色内において色調のムラ（ばらつき）がある。そこで、本実施形態では、ＬＥＤ基板２０上でのＬＥＤ１７の色調ムラは許容し、ＬＥＤ基板２０同士の色調ムラの範囲を規定している。この範囲について、以下、図８から図１０を用いて説明する。図８は各ＬＥＤ基板におけるＬＥＤの平均した色調を説明する模式図、図９はＣＩＥ（国際照明委員会）による１９３１年策定の色度図、図１０は図９における色調同等領域を示す要部拡大図である。
【００４５】
本実施形態では、図８に示すように、各ＬＥＤ基板２０にそれぞれ６個のＬＥＤ１７が実装されている。これら６つのＬＥＤ１７の色調は互いに同一又は異なるものとされているが、各ＬＥＤ基板２０において６個のＬＥＤ１７の色調を平均すると、各ＬＥＤ基板２０の平均した色調は、図９及び図１０に示す色調同等領域Ｈの範囲に属するものとなっている。ここで、色調同等領域Ｈとは、図９及び図１０におけるＣＩＥ１９３１座標において、ｘ座標距離が０．０１５とされる対向する２辺とｙ座標距離が０．０１５とされる対向する２辺とで囲まれる領域である。この色調同等領域Ｈは、各ＬＥＤ１７の色調の本来の狙い値、あるいは当該狙い値を包括する領域である。
【００４６】
以上説明したように、本実施形態によれば、ＬＥＤ基板２０の各々における複数のＬＥＤ１７の平均した色調は、ＣＩＥ１９３１座標においてｘ座標距離が０．０１５とされる対向する２辺とｙ座標距離が０．０１５とされる対向する２辺とで囲まれる色調同等領域Ｈに属している。ここで、ＣＩＥ１９３１座標においてｘ座標距離が０．０１５とされる対向する２辺とｙ座標距離が０．０１５とされる対向する２辺とで囲まれる色調同等領域Ｈとは、色調が同等とされ、色調のムラが視認され難い範囲を示す。したがって、各ＬＥＤ基板２０の間では、色調のムラが視認され難いものとなっており、全体として色調が平均化され、ほぼ均一な色調の照明光を得ることが可能となる。
【００４７】
また、本実施形態では、複数のＬＥＤ１７は、ＬＥＤ基板２０の長手方向に沿って直線上に配置されている。この場合、ＬＥＤ基板２０の設置態様によりＬＥＤ１７の設置態様が一義的に決まるため、ＬＥＤ１７の配置の設計が容易となる。
【００４８】
また、本実施形態では、複数のＬＥＤ１７は、１つのＬＥＤ基板２０上に等間隔で配置されている。この場合、ＬＥＤ基板２０によってＬＥＤ１７の配置態様が変更されないため、バックライト装置１２のサイズが変更されてもＬＥＤ基板２０を使いまわすことが可能となる。
【００４９】
また、本実施形態では、ＬＥＤ基板２０は、長手方向に沿って複数配置され、隣り合うＬＥＤ基板２０，２０同士はコネクタ２２により接続されている。
このような構成によれば、例えば長さの異なる、言い換えれば配置されたＬＥＤ１７の個数が異なるＬＥＤ基板２０を数種類用意しておくことにより、バックライト装置１２のサイズ（長さ）が異なる場合にも、ＬＥＤ基板２０同士をコネクタ２２により連結することで各サイズに対応することができる。したがって、バックライト装置１２のサイズごとにそれぞれＬＥＤ基板２０を用意する必要がなく、コスト削減に寄与することが可能となる。
【００５０】
また、本実施形態では、コネクタ２２は、互いに嵌合する第１コネクタ２２ａと第２コネクタ２２ｂとからなり、第１コネクタ２２ａは、ＬＥＤ基板２０の長手方向の端部より外側に延設されている。
このような構成によれば、隣り合うＬＥＤ基板２０，２０を第１コネクタ２２ａと第２コネクタ２２ｂとで接続する際に、第１コネクタ２２ａ及び第２コネクタ２２ｂのうち少なくとも一方がＬＥＤ基板２０の外側に延設されているため、第１コネクタ２２ａと第２コネクタ２２ｂとの嵌合を円滑に行うことが可能となる。
【００５１】
また、本実施形態では、コネクタ２２は、白色を呈するものとされている。この場合、コネクタ２２は比較的光反射率が高いものとなるため、当該コネクタ２２において光を吸収し難く、輝度ムラの発生を抑制することが可能となる。
【００５２】
また、本実施形態では、シャーシ１４は平面視矩形状とされ、ＬＥＤ基板２０は、その長手方向がシャーシ１４の長辺方向と一致する形で配置されている。
このような構成によれば、シャーシ１４の短辺方向とＬＥＤ基板２０の長手方向とを一致させる場合に比べてＬＥＤ基板２０の数を減少させることが可能となる。したがって、例えばＬＥＤ１７の点灯・消灯を制御する制御ユニットの数を減少させることができるため、低コスト化を実現することが可能となる。
【００５３】
また、本実施形態では、光源としてＬＥＤ１７を採用しているため、光源の長寿命化及び低消費電力化などを図ることが可能となる。
【００５４】
特に、本実施形態では、光源として青色発光チップに、黄色の領域に発光ピークを持つ蛍光体を塗布することにより白色発光するＬＥＤ１７を採用している。
このような白色発光するＬＥＤ１７を用いる場合、蛍光体の形成条件（濃度、膜厚など）により白色の中でも例えば青味がかったりすることで色調にばらつきが生じ易い。そこで、本発明の構成を適用することにより、色調が全体として平均化され、ほぼ均一な色調の照明光を得ることが可能となる。
【００５５】
また、本実施形態では、複数のＬＥＤ１７は、電気的に直列に接続されている。
これにより、各ＬＥＤ１７に供給される電流を同一とすることができ、各ＬＥＤ１７からの発光量を均一化することができるため、当該バックライト装置１２の照明面における輝度均一性を向上させることが可能となる。
【００５６】
また、本実施形態では、ＬＥＤ１７を覆う形で、当該ＬＥＤ１７からの光を拡散可能な拡散レンズ２１が取り付けられている。この場合、拡散レンズ２１によって光が拡散されるため、隣り合うＬＥＤ１７，１７同士の間隔を大きくした場合にも、点状のランプイメージが発生し難い。したがって、配置するＬＥＤ１７を削減することで低コスト化しつつ、ほぼ均一な輝度分布を得ることが可能となる。また、このような拡散レンズ２１を設けることにより、各ＬＥＤ１７の光を混色することができ、色ムラの低減効果が得られるため、更なる色度均一性を図ることができる。
【００５７】
また、本実施形態では、拡散レンズ２１は、光を拡散可能な光拡散部材とされているため、良好な光の拡散を行うことが可能となる。
【００５８】
また、本実施形態では、拡散レンズ２１は、ＬＥＤ基板２０側の面に表面粗し処理が施されているため、より一層良好な光の拡散を行うことが可能となる。
【００５９】
＜実施形態２＞
次に、本発明の実施形態２を図１１及び図１２によって説明する。この実施形態２では、各ＬＥＤ基板におけるＬＥＤの色調について説明し、その他は前記実施形態１と同様である。前記実施形態１と同一部分には、同一符号を付して重複する説明を省略する。
図１１はバックライト装置に備わるＬＥＤのＣＩＥ（国際照明委員会）による１９３１年策定の色度図における色調ランクを示す要部拡大図、図１２はＬＥＤ基板における各色調ランクのＬＥＤの配置態様を説明する模式図である。
【００６０】
本実施形態における各々のＬＥＤ１７の色調は、図１１のＣＩＥ１９３１座標内における実線で囲まれた使用領域Ｒの範囲内でばらついている。そこで、当該使用領域Ｒを、それぞれ各辺の長さが座標長さ０．０１５となる四角形で囲まれた色調ランクＡ，Ｂ，Ｃの３つに区分する。ここで、四角形の一辺が座標長さ０．０１５であるとは、当該四角形の隣り合う２つの頂点を結んだ１辺の実際の長さが０．０１５をなすことをいう。より詳細には、使用領域Ｒの中央部が色調ランクＡ（第１色調ランク）とされる。当該色調ランクＡが色調の本来の狙い値であり、最も多くのＬＥＤ１７が属している。また、色調ランクＡの斜め下方が色調ランクＢ（第３色調ランク）とされ、色調ランクＡの斜め上方が色調ランクＣ（第２色調ランク）とされており、それぞれ色調が狙い値からばらついたＬＥＤ１７が属している。このように、色調ランクＡと色調ランクＢとが隣り合う色調ランクであり、また、色調ランクＡと色調ランクＣともまた隣り合う色調ランクとなっている。言い換えれば、色調ランクＢと色調ランクＣとは、隣り合わない色調ランクといえる。これら座標長さ０．０１５の四角形で囲まれたそれぞれの色調ランクＡ，Ｂ，Ｃは、同一の色調ランク内に属するＬＥＤ１７において、色調のムラが視認され難い範囲となっている。なお、色調ランクＡは色調同等領域Ｈを包括する範囲とされており、色調ランクＡと色調ランクＣとの境界、及び色調ランクＡと色調ランクＢとの境界は、それぞれ色調同等領域Ｈを構成する一辺となっている。
【００６１】
続いて、ＬＥＤ基板２０に配置されたＬＥＤ１７の色調ランクの配置態様について、図１２を用いて説明する。
図１２に示すように、それぞれのＬＥＤ基板２０（２０ａ，２０ｂ）には、異なる色調ランクＡ，Ｂ，ＣのＬＥＤ１７が実装されている。まず、行方向（Ｘ軸方向、シャーシ１４の長辺方向、ＬＥＤ基板２０ａ，２０ｂの長手方向）に着目すると、最も上方にある第１行には、３つの第１ＬＥＤ基板（第１光源実装基板）２０ａ，２０ａ，２０ａがコネクタ２２により直列に連結されている。第１ＬＥＤ基板２０ａは、図中左から順に配置されたＬＥＤ１７の色調ランクがＡ，Ｃ，Ａ，Ｃ，Ａ，Ｃとなっており、色調ランクＡに属するＬＥＤ１７と色調ランクＣに属するＬＥＤ１７とが交互に配置されている。したがって、第１ＬＥＤ基板２０ａにおいて隣り合うＬＥＤ１７，１７同士は、隣り合う色調ランク（ＡとＣ）に属するものとなっている。
【００６２】
一方、第１行の下方にある第２行には、３つの第２ＬＥＤ基板（第２光源実装基板）２０ｂ，２０ｂ，２０ｂがコネクタ２２により直列に連結されている。第２ＬＥＤ基板２０ｂは、図中左から順に配置されたＬＥＤ１７の色調ランクがＢ，Ａ，Ｂ，Ａ，Ｂ，Ａとなっており、色調ランクＡに属するＬＥＤ１７と色調ランクＢに属するＬＥＤ１７とが交互に配置されている。したがって、第２ＬＥＤ基板２０ｂにおいて隣り合うＬＥＤ１７，１７同士もまた、隣り合う色調ランク（ＡとＢ）に属するものとなっている。さらに、第３行には第１ＬＥＤ基板２０ａが配置され、第４行には第２ＬＥＤ基板２０ｂが配置されており、以下、第１ＬＥＤ基板２０ａと第２ＬＥＤ基板２０ｂとが交互に配置されている。
【００６３】
さらに、Ｘ軸方向において、直列に連結された第１ＬＥＤ基板２０ａ，２０ａ同士の間において、隣り合うＬＥＤ１７，１７同士は、隣り合う色調ランク（ＡとＣ）に属するものとなっている。また、Ｘ軸方向において、直列に連結された第２ＬＥＤ基板２０ｂ，２０ｂ同士の間において、隣り合うＬＥＤ１７，１７同士もまた、隣り合う色調ランク（ＡとＢ）に属するものとなっている。このように、Ｘ軸方向において隣り合うＬＥＤ１７，１７同士は、全て隣り合う色調ランク（ＡとＢ、あるいはＡとＣ）に属するものとなっている。言い換えれば、Ｘ軸方向においては、２つ以上離れた色調ランク（ＢとＣ）に属するＬＥＤ１７は、隣り合わない構成となっている。
【００６４】
また、ＬＥＤ１７の配置を列方向（Ｙ軸方向、シャーシ１４の短辺方向、ＬＥＤ基板２０ａ，２０ｂの並列方向）について着目した場合には、第１ＬＥＤ基板２０ａと第２ＬＥＤ基板２０ｂとが交互に配置されており、図中左端の第１列のＬＥＤ１７は色調ランクがＡ，Ｂ，Ａ，Ｂ・・・と配置され、第２列は色調ランクがＣ，Ａ，Ｃ，Ａ・・・と配置され、以下これを繰り返す構成となっている。したがって、並列配置された第１ＬＥＤ基板２０ａと第２ＬＥＤ基板２０ｂとの間、つまり列方向（Ｙ軸方向）においても、隣り合うＬＥＤ１７，１７同士は、隣り合う色調ランク（ＡとＢ、あるいはＡとＣ）に属するものとなっている。言い換えれば、Ｙ軸方向においても、２つ以上離れた色調ランク（ＢとＣ）に属するＬＥＤ１７は、隣り合わない構成となっている。
【００６５】
ところで、第１ＬＥＤ基板２０ａは、色調ランクＡと色調ランクＣとが交互に配置されており、当該第１ＬＥＤ基板２０ａの平均した色調は、図１１における色調ランクＡと色調ランクＣとの境界あるいは色調ランクＡ側に位置するものとなっている。一方、第２ＬＥＤ基板２０ｂは、色調ランクＡと色調ランクＢとが交互に配置されており、当該第２ＬＥＤ基板２０ｂの平均した色調は、図１１における色調ランクＡと色調ランクＢとの境界あるいは色調ランクＡ側に位置するものとなっている。ここで、色調同等領域Ｈは、色調ランクＡに包括されており、さらに、当該色調同等領域Ｈを構成する２辺は、それぞれ色調ランクＡと色調ランクＣとの境界線、及び色調ランクＡと色調ランクＢとの境界線により構成されている。したがって、第１ＬＥＤ基板２０ａの平均した色調、及び第２ＬＥＤ基板２０ｂの平均した色調は、それぞれ色調同等領域Ｈに属するものとなっている。
【００６６】
以上説明したように、本実施形態によれば、ＬＥＤ１７は、その色調に応じて、ＣＩＥ１９３１座標において色調同等領域Ｈを包括する一辺が座標長さ０．０１５の四角形をなす色調ランクＡと、当該色調ランクＡと互いに隣り合う一辺が座標長さ０．０１５の四角形をなす色調ランクＣ及び色調ランクＢとに属するものとされている。また、ＬＥＤ基板２０は、色調ランクＡ及び色調ランクＣに属するＬＥＤ１７が実装された第１ＬＥＤ基板２０ａと、色調ランクＡ及び色調ランクＢに属するＬＥＤ１７が実装された第２ＬＥＤ基板２０ｂとに分けられ、第１ＬＥＤ基板２０ａと第２ＬＥＤ基板２０ｂとが交互に配置されている。
このような構成によれば、交互に配置される第１ＬＥＤ基板２０ａと第２ＬＥＤ基板２０ｂとの間で、それぞれの平均した色調が互いに大きく異なることがないため、色調ムラの発生を抑制することが可能となる。
【００６７】
また、本実施形態では、第１ＬＥＤ基板２０ａにおいては、色調ランクＡに属するＬＥＤ１７と、色調ランクＣに属するＬＥＤ１７とが交互に配置されており、第２ＬＥＤ基板２０ｂにおいては、色調ランクＡに属するＬＥＤ１７と、色調ランクＢに属するＬＥＤ１７とが交互に配置されている。
このような構成によれば、それぞれのＬＥＤ基板２０ａ，２０ｂ内においても、隣り合うＬＥＤ１７，１７が隣り合う色調ランク（ＡとＢ、あるいはＡとＣ）に属するため、互いの色調が大きく異なることがなく、色調ムラの発生をより一層抑制することが可能となる。
【００６８】
以上、本発明の実施形態２を示したが、本発明は上記実施の形態に限られるものではなく、例えば以下に示す種々の変形例を採用することができる。なお、以下の各変形例において、上記実施形態２と同一の構成要素・構成部材については同一の符号を付して説明を省略している。
【００６９】
［実施形態２の第１変形例］
ＬＥＤ１７の配置態様の一変形例として、図１３に示すものを採用することができる。図１３はＬＥＤ基板における各色調ランクのＬＥＤの異なる配置態様を説明する模式図である。
図１３において、Ｘ軸方向（行方向、第３ＬＥＤ基板２０ｄの長手方向）に着目すると、最も上方にある第１行には、３つの第３ＬＥＤ基板２０ｄ，２０ｄ，２０ｄがコネクタ２２により電気的・物理的に接続されている。第３ＬＥＤ基板２０ｄは、図中左から順に配置されたＬＥＤ１７の色調ランクがＡ，Ｂ，Ａ，Ｂ，Ａ，Ｂとなっている。したがって、第３ＬＥＤ基板２０ｄにおいて隣り合うＬＥＤ１７，１７同士は、隣り合う色調ランク（ＡとＢ）に属するものとなっている。さらに、第２行、第３行、第４行・・・においても、第１行と同様に、第３ＬＥＤ基板２０ｄが３つ直列に連結されている。したがって、Ｙ軸方向（第３ＬＥＤ基板２０ｄの並列方向）に着目すると、図中左端の第１列のＬＥＤ１７は色調ランクがＡ，Ａ，Ａ，Ａ・・・とされ、第２列は色調ランクがＢ，Ｂ，Ｂ，Ｂ・・・とされている。すなわち、並列配置された第３ＬＥＤ基板２０ｄにおいて、並列方向に隣り合うＬＥＤ１７，１７同士は同一の色調（ＡとＡ、あるいはＢとＢ）に属するものとなっている。この場合、第３ＬＥＤ基板２０ｄの平均した色調は、色調ランクＡと色調ランクＢとの境界あるいは色調ランクＡ側に位置するものとなっており、色調同等領域Ｈに属するものとなっている。
【００７０】
このような構成によれば、隣り合うＬＥＤ１７，１７の色調が互いに大きく異なることがないため、色調ムラの発生を抑制することが可能となる。特に、本例においては、用意するＬＥＤ基板２０（第３ＬＥＤ基板２０ｄ）の種類を減少させることができるため、コスト削減に寄与することが可能となる。
【００７１】
［実施形態２の第２変形例］
ＬＥＤ１７の配置態様の一変形例として、図１４に示すものを採用することができる。図１４はＬＥＤ基板における各色調ランクのＬＥＤのさらに異なる配置態様を説明する模式図である。
図１４において、Ｘ軸方向（行方向、ＬＥＤ基板２０ｅ，２０ｆの長手方向）に着目すると、最も上方にある第１行には、３つの第４ＬＥＤ基板２０ｅ，２０ｅ，２０ｅがコネクタ２２により電気的・物理的に接続されている。第４ＬＥＤ基板２０ｅには、図中左から順にＬＥＤ１７の色調ランクがＡ，Ｂ，Ａ，Ａ，Ａ，Ｂとされている。したがって、第４ＬＥＤ基板２０ｅにおいて隣り合うＬＥＤ１７，１７同士は、同一の色調ランク（ＡとＡ）又は隣り合う色調ランク（ＡとＢ）に属するものとなっている。また、第２行には、３つの第５ＬＥＤ基板２０ｆ，２０ｆ，２０ｆがコネクタ２２により電気的・物理的に接続されている。第５ＬＥＤ基板２０ｆは、図中左から順に配置されたＬＥＤ１７の色調ランクがＣ，Ａ，Ａ，Ａ，Ｃ，Ａとなっている。したがって、第５ＬＥＤ基板２０ｆにおいて隣り合うＬＥＤ１７，１７同士もまた、同一の色調ランク（ＡとＡ）又は隣り合う色調ランク（ＡとＣ）に属するものとなっている。この場合、第４ＬＥＤ基板２０ｅの平均した色調は色調ランクＡ側に位置し、第５ＬＥＤ基板２０ｆの平均した色調もまた色調ランクＡ側に位置するものとなっている。すなわち、第４ＬＥＤ基板２０ｅの平均した色調、及び第５ＬＥＤ基板２０ｆの平均した色調は、それぞれ色調同等領域Ｈに属するものとなっている。
【００７２】
このような構成によれば、列方向及び行方向に隣り合うＬＥＤ１７，１７の色調が互いに大きく異なることがないため、色調ムラの発生を抑制することが可能となる。特に、本例の構成は、色調の狙い値である色調ランクＡに属するＬＥＤ１７の数が、他の色調ランクＢ，Ｃに属するＬＥＤ１７の数に比べて、著しく多い場合に好適である。
【００７３】
［実施形態２の第３変形例］
ＬＥＤ１７の配置態様の一変形例として、図１５に示すものを採用することができる。図１５はＬＥＤ基板における各色調ランクのＬＥＤの異なる配置態様を説明する模式図である。
図１５において、Ｘ軸方向（行方向、ＬＥＤ基板２０ａ，２０ｇの長手方向）に着目すると、最も上方にある第１行には、３つの第１ＬＥＤ基板２０ａ，２０ａ，２０ａがコネクタ２２により電気的・物理的に接続されている。第１ＬＥＤ基板２０ａは、図中左から順に配置されたＬＥＤ１７の色調ランクがＡ，Ｃ，Ａ，Ｃ，Ａ，Ｃと交互に配置されている。したがって、第１ＬＥＤ基板２０ａにおいて隣り合うＬＥＤ１７，１７同士は、隣り合う色調ランク（ＡとＣ）に属するものとなっている。また、第２行には、３つの第６ＬＥＤ基板２０ｇ，２０ｇ，２０ｇがコネクタ２２により電気的・物理的に接続されている。第６ＬＥＤ基板２０ｇは、図中左から順に配置されたＬＥＤ１７の色調ランクがＡ，Ａ，Ａ，Ａ，Ａ，Ａとなっている。したがって、第６ＬＥＤ基板２０ｇにおいて隣り合うＬＥＤ１７，１７同士は、同一の色調ランク（Ａ）に属するものとなっている。
【００７４】
このような構成によれば、第１ＬＥＤ基板２０ａでは、隣り合う色調（ＡとＣ）に属するＬＥＤ１７が互いに隣り合う位置に実装されているため、隣り合うＬＥＤ１７，１７の色調が互いに大きく異なることがなく、色調ムラの発生を抑制することが可能となる。また、第６ＬＥＤ基板２０ｇでは、同一の色調ランクＡに属するＬＥＤ１７が互いに隣り合うため、色調ムラの発生を一層抑制することが可能となる。特に、本例の構成は、色調の狙い値である色調ランクＡに属するＬＥＤ１７の数が、他の色調ランクＢ，Ｃに属するＬＥＤ１７の数に比べて、著しく多い場合に好適である。
【００７５】
＜実施形態３＞
次に、本発明の実施形態３を図１６及び図１７によって説明する。この実施形態３では、各ＬＥＤ基板におけるＬＥＤの色調の異なる配置態様について説明し、その他は前記実施形態１と同様である。前記実施形態１と同一部分には、同一符号を付して重複する説明を省略する。
図１６はバックライト装置に備わるＬＥＤのＣＩＥ（国際照明委員会）による１９３１年策定の色度図における色調ランクを示す要部拡大図、図１７はＬＥＤ基板における各色調ランクのＬＥＤの配置態様を説明する模式図である。
【００７６】
本実施形態における各々のＬＥＤ１７の色調は、図１６のＣＩＥ１９３１座標内における実線で囲まれた使用領域Ｗの範囲内でばらついている。この使用領域Ｗは、それぞれ各辺の長さが座標長さ０．０１５となる四角形で囲まれた色調ランクＡと色調ランクＣとの２つに区分することができる。ここで、四角形の一辺が座標長さ０．０１５であるとは、当該四角形の隣り合う２つの頂点を結んだ１辺の実際の長さが０．０１５をなすことをいう。より詳細には、色調の本来の狙い値が色調ランクＡ（第１色調ランク）とされる。また、色調ランクＡの斜め上方が色調ランクＣ（第２色調ランク）とされており、色調が狙い値からばらついたＬＥＤ１７が属している。このように、色調ランクＡと色調ランクＣとは隣り合う色調ランクとなっている。これら座標長さ０．０１５の四角形で囲まれたそれぞれの色調ランクＡ，Ｃは、同一の色調ランク内に属するＬＥＤ１７において、色調のムラが視認され難い範囲となっている。なお、色調ランクＡは色調同等領域Ｈを包括する範囲とされており、色調ランクＡと色調ランクＣとの境界は、色調同等領域Ｈを構成する一辺となっている。
【００７７】
続いて、ＬＥＤ基板２０に配置されたＬＥＤ１７の色調ランクの配置態様について、図１７を用いて説明する。
図１７において、Ｘ軸方向（行方向、第１ＬＥＤ基板２０ｈ，２０ｊの長手方向）に着目すると、最も上方にある第１行には、３つの第７ＬＥＤ基板２０ｈ，２０ｈ，２０ｈがコネクタ２２により電気的・物理的に接続されている。第７ＬＥＤ基板（第３光源実装基板）２０ｈは、図中左から順に配置されたＬＥＤ１７の色調ランクがＡ，Ａ，Ａ，Ａ，Ａ，Ａと配置されている。したがって、第７ＬＥＤ基板２０ｈにおいて隣り合うＬＥＤ１７，１７同士は、同一の色調ランクＡに属するものとなっている。また、第２行には、３つの第８ＬＥＤ基板（第４光源実装基板）２０ｊ，２０ｊ，２０ｊがコネクタ２２により電気的・物理的に接続されている。第８ＬＥＤ基板２０ｊは、図中左から順に配置されたＬＥＤ１７の色調ランクがＣ，Ａ，Ｃ，Ａ，Ｃ，Ａとなっている。したがって、第８ＬＥＤ基板２０ｊにおいて隣り合うＬＥＤ１７，１７同士は、隣り合う色調ランク（ＡとＣ）に属するものとなっている。
【００７８】
さらに、ＬＥＤ１７の配置を列方向（Ｙ軸方向、シャーシ１４の短辺方向、ＬＥＤ基板２０ｈ，２０ｊの並列方向）について着目した場合には、第７ＬＥＤ基板２０ｈと第８ＬＥＤ基板２０ｊとが交互に配置されており、図中左端の第１列のＬＥＤ１７は色調ランクがＡ，Ｃ，Ａ，Ｃ・・・と配置され、第２列は色調ランクがＡ，Ａ，Ａ，Ａ・・・と配置され、以下これを繰り返す構成となっている。したがって、並列配置された第７ＬＥＤ基板２０ｈと第８ＬＥＤ基板２０ｊとの間、つまり列方向（Ｙ軸方向）においても、隣り合うＬＥＤ１７，１７同士は、隣り合う色調ランク（ＡとＣ）又は同一の色調ランクＡに属するものとなっている。なお、第７ＬＥＤ基板２０ｈの平均した色調と、第８ＬＥＤ基板２０ｊの平均した色調とは、それぞれ色調同等領域Ｈに属するものとなっている。
【００７９】
以上、本実施形態の構成によれば、交互に配置される第７ＬＥＤ基板２０ｈと第８ＬＥＤ基板２０ｊとの間で、それぞれの平均した色調が互いに大きく異なることがないため、色調ムラの発生を抑制することが可能となる。
【００８０】
また、本実施形態では、第８ＬＥＤ基板２０ｊにおいて、色調ランクＡに属するＬＥＤ１７と、色調ランクＣに属するＬＥＤ１７とが交互に配置されている。
このような構成によれば、それぞれの第８ＬＥＤ基板２０ｊ内においても、隣り合うＬＥＤ１７，１７が隣り合う色調ランク（ＡとＣ）に属するため、互いの色調が大きく異なることがなく、色調ムラの発生をより一層抑制することが可能となる。
【００８１】
＜他の実施形態＞
以上、本発明の実施形態について示したが、本発明は上記記述及び図面によって説明した実施形態に限定されるものではなく、例えば次のような実施形態も本発明の技術的範囲に含まれる。
【００８２】
（１）上記した実施形態２では、色調ランクを３つに区分した場合を例示したが、色調ランクの区分数はこれに限られるものではなく、４つ以上に区分した場合も本発明に含まれる。
【００８３】
（２）上記した実施形態２では、シャーシの長辺方向（Ｘ軸方向）において、同一のＬＥＤの色調配列をもつＬＥＤ基板同士を連結する構成としたが、異なる色調配列をもつＬＥＤ基板を互いに連結する構成としてもよい。
【００８４】
（３）上記した各実施形態では、シャーシの長辺方向（Ｘ軸方向）に、３つのＬＥＤ基板を連結した構成を例示したが、ＬＥＤ基板の数は２つ以下でもよく、また４つ以上でもよい。また、１つのＬＥＤ基板に配置するＬＥＤの数も６つに限られることなく、任意の数とすることができる。
【００８５】
（４）上記した各実施形態では、コネクタは白色を呈するものとしたが、光反射性に優れたものであればよく、例えばアイボリーを呈する材料にて形成したものでもよい。
【００８６】
（５）上記した各実施形態では、各ＬＥＤを縦横方向に格子状に整列配置する構成を例示したが、例えば各ＬＥＤを六方最密状に、すなわち隣り合うＬＥＤの間の距離が全て均等となるように配置したり、各ＬＥＤが互い違いになるように配置したりしてもよい。
【００８７】
（６）上記した各実施形態では、ＬＥＤを覆う形で拡散レンズを配置する構成を例示したが、拡散レンズは必ずしも配置する必要はない。この場合、ＬＥＤを密に配置することにより、点状のランプイメージの発生を抑制することが可能となる。
【００８８】
（７）上記した各実施形態では、白色発光するＬＥＤを例示したが、発色光は白色に限られるものではなく、任意の色とすることができる。
【００８９】
（８）上記した各実施形態では、光源として、青色発光チップに、黄色の領域に発光ピークを持つ蛍光体を塗布することにより白色発光するＬＥＤを例示したが、例えば波長３８０ｎｍ付近に発光ピークを有する紫外光発光チップと、当該紫外光を吸収し蛍光を発する蛍光体とで構成する光源としてもよい。このとき、蛍光体として、青色、緑色、及び赤色の領域に発光ピークを持つ蛍光体を用いることで、白色光を得ることができる。このような構成による白色光は広い可視光範囲に亘りなだらかなスペクトルが得られ演色性に優れる。ここで、蛍光体の配分量のばらつき等により、色ムラが生じる場合があるが、本発明の構成により色調の均一化が可能である。これにより、演色性に優れかつ色ムラの抑制された照明装置を得ることが可能となる。
【００９０】
（９）上記した各実施形態では、点状光源としてＬＥＤを用いたものを例示したが、ＬＥＤ以外の点状光源を用いたものであってもよい。
【００９１】
（１０）上記した各実施形態では、光学シート群として拡散板と、拡散シートやレンズシートや反射型偏光シートとを組み合わせた構成を例示したが、例えば光学シートとして２枚の拡散板を積層する構成を採用することもできる。
【符号の説明】
【００９２】
１０…液晶表示装置（表示装置）、１１…液晶パネル（表示パネル）、１２…バックライト装置（照明装置）、１４…シャーシ、１７…ＬＥＤ（点状光源、発光ダイオード）、２０…ＬＥＤ基板（光源実装基板）、２０ａ…第１ＬＥＤ基板（第１光源実装基板）、２０ｂ…第２ＬＥＤ基板（第２光源実装基板）、２１…拡散レンズ、２２…コネクタ、２２ａ…第１コネクタ、２２ｂ…第２コネクタ、Ａ…第１色調ランク、Ｂ…第３色調ランク、Ｃ…第２色調ランク、Ｈ…色調同等領域、ＴＶ…テレビ受信装置
【図１】
2010147007.tif 000003
【図２】
2010147007.tif 000004
【図３】
2010147007.tif 000005
【図４】
2010147007.tif 000006
【図５】
2010147007.tif 000007
【図６】
2010147007.tif 000008
【図７】
2010147007.tif 000009
【図８】
2010147007.tif 000010
【図９】
2010147007.tif 000011
【図１０】
2010147007.tif 000012
【図１１】
2010147007.tif 000013
【図１２】
2010147007.tif 000014
【図１３】
2010147007.tif 000015
【図１４】
2010147007.tif 000016
【図１５】
2010147007.tif 000017
【図１６】
2010147007.tif 000018
【図１７】
2010147007.tif 000019
【手続補正書】
【提出日】平成23年12月2日(2011.12.2)
【手続補正１】
【補正対象書類名】特許請求の範囲
【補正対象項目名】全文
【補正方法】変更
【補正の内容】
【特許請求の範囲】
【請求項１】
複数の光源実装基板と、
前記光源実装基板に実装された複数の点状光源と、を備え、
前記光源実装基板の各々における前記複数の点状光源の平均した色調は、ＣＩＥ１９３１座標においてｘ座標距離が０．０１５とされる対向する２辺とｙ座標距離が０．０１５とされる対向する２辺とで囲まれる色調同等領域に属し、
前記点状光源は、その色調に応じて、ＣＩＥ１９３１座標において前記色調同等領域を包括する一辺が座標長さ０．０１５の四角形をなす第１色調ランクと、当該第１色調ランクと互いに隣り合う一辺が座標長さ０．０１５の四角形をなす第２色調ランク及び第３色調ランクとに属するものとされ、
前記光源実装基板は、前記第１色調ランク及び前記第２色調ランクに属する前記点状光源が実装された第１光源実装基板と、前記第１色調ランク及び前記第３色調ランクに属する前記点状光源が実装された第２光源実装基板とを有し、
前記第１光源実装基板と前記第２光源実装基板とが交互に配置されていることを特徴とする照明装置。
【請求項２】
前記第１光源実装基板においては、前記第１色調ランクに属する前記点状光源と、前記第２色調ランクに属する前記点状光源とが交互に配置されていることを特徴とする請求項１に記載の照明装置。
【請求項３】
前記第１光源実装基板においては、前記第１色調ランクに属する前記点状光源と、前記第２色調ランクに属する前記点状光源とが交互に配置されており、
前記第２光源実装基板においては、前記第１色調ランクに属する前記点状光源と、前記第３色調ランクに属する前記点状光源とが交互に配置されていることを特徴とする請求項１に記載の照明装置。
【請求項４】
複数の光源実装基板と、
前記光源実装基板に実装された複数の点状光源と、を備え、
前記光源実装基板の各々における前記複数の点状光源の平均した色調は、ＣＩＥ１９３１座標においてｘ座標距離が０．０１５とされる対向する２辺とｙ座標距離が０．０１５とされる対向する２辺とで囲まれる色調同等領域に属し、
前記点状光源は、その色調に応じて、ＣＩＥ１９３１座標において前記色調同等領域を包括する一辺が座標長さ０．０１５の四角形をなす第１色調ランクと、当該第１色調ランクと隣り合う一辺が座標長さ０．０１５の四角形をなす第２色調ランクに属するものとされ、
前記光源実装基板は、前記第１色調ランクに属する前記点状光源が実装された第３光源実装基板と、前記第１色調ランク及び前記第２色調ランクに属する前記点状光源が実装された第４光源実装基板とを有し、
前記第３光源実装基板と前記第４光源実装基板とが交互に配置されていることを特徴とする照明装置。
【請求項５】
前記第４光源実装基板においては、前記第１色調ランクに属する前記点状光源と、前記第２色調ランクに属する前記点状光源とが交互に配置されていることを特徴とする請求項４に記載の照明装置。
【請求項６】
前記光源実装基板は長手状をなし、
前記複数の点状光源は、前記光源実装基板の長手方向に沿って直線上に配置されていることを特徴とする請求項１から請求項５のいずれか１項に記載の照明装置。
【請求項７】
前記複数の点状光源は、１つの前記光源実装基板上に等間隔で配置されていることを特徴とする請求項１から請求項６のいずれか１項に記載の照明装置。
【請求項８】
前記光源実装基板は、長手状をなし、その長手方向に沿って複数配置され、
隣り合う前記光源実装基板同士はコネクタにより接続されていることを特徴とする請求項１から請求項７のいずれか１項に記載の照明装置。
【請求項９】
前記コネクタは、互いに嵌合する第１コネクタと第２コネクタとからなり、
前記第１コネクタ及び前記第２コネクタのうち少なくとも一方は、前記光源実装基板の長手方向の端部より外側に延設されていることを特徴とする請求項８に記載の照明装置。
【請求項１０】
前記コネクタは、アイボリー又は白色を呈することを特徴とする請求項８又は請求項９に記載の照明装置。
【請求項１１】
前記光源実装基板を収容する平面視矩形状のシャーシを備え、
前記光源実装基板は、その長手方向が前記シャーシの長辺方向と一致する形で配置されていることを特徴とする請求項１から請求項１０のいずれか１項に記載の照明装置。
【請求項１２】
前記点状光源は、発光ダイオードであることを特徴とする請求項１から請求項１１のいずれか１項に記載の照明装置。
【請求項１３】
前記点状光源は、青色発光チップに、黄色の領域に発光ピークを持つ蛍光体を塗布することにより白色発光する発光ダイオードであることを特徴とする請求項１から請求項１２のいずれか１項に記載の照明装置。
【請求項１４】
前記点状光源は、青色発光チップに、緑色及び赤色の領域に発光ピークを持つ蛍光体を塗布することにより白色発光する発光ダイオードであることを特徴とする請求項１から請求項１２のいずれか１項に記載の照明装置。
【請求項１５】
前記点状光源は、青色発光チップに、緑色の領域に発光ピークを持つ蛍光体を塗布するとともに、赤色チップを組み合わせることにより白色発光する発光ダイオードであることを特徴とする請求項１から請求項１２のいずれか１項に記載の照明装置。
【請求項１６】
前記点状光源は、青色、緑色、及び赤色の発光チップを組み合わせることにより白色発光する発光ダイオードであることを特徴とする請求項１から請求項１２のいずれか１項に記載の照明装置。
【請求項１７】
前記点状光源は、紫外光発光チップと蛍光体とからなることを特徴とする請求項１から請求項１２のいずれか１項に記載の照明装置。
【請求項１８】
前記点状光源は、紫外光発光チップと、青色、緑色、及び赤色の領域に発光ピークを持つ蛍光体とからなることを特徴とする請求項１から請求項１２のいずれか１項に記載の照明装置。
【請求項１９】
前記点状光源は、電気的に直列に接続されていることを特徴とする請求項１から請求項１８のいずれか１項に記載の照明装置。
【請求項２０】
前記光源実装基板には、前記点状光源を覆う形で、当該点状光源からの光を拡散可能な拡散レンズが取り付けられていることを特徴とする請求項１から請求項１９のいずれか１項に記載の照明装置。
【請求項２１】
前記拡散レンズは、光を拡散可能な光拡散部材であることを特徴とする請求項２０に記載の照明装置。
【請求項２２】
前記拡散レンズは、前記光源実装基板側の面に表面粗し処理が施されていることを特徴とする請求項２０又は請求項２１に記載の照明装置。
【請求項２３】
複数の光源実装基板と、
前記光源実装基板に実装された複数の点状光源と、を備え、
前記光源実装基板の各々における前記複数の点状光源の平均した色調は、ＣＩＥ１９３１座標においてｘ座標距離が所定距離とされる対向する２辺とｙ座標距離が所定距離とされる対向する２辺とで囲まれる色調同等領域に属しており、
前記点状光源は、その色調に応じて、ＣＩＥ１９３１座標において前記色調同等領域を包括する第１色調ランクと、当該第１色調ランクと互いに隣り合う第２色調ランク及び第３色調ランクとに属するものとされ、
前記光源実装基板は、前記第１色調ランク及び前記第２色調ランクに属する前記点状光源が実装された第１光源実装基板と、前記第１色調ランク及び前記第３色調ランクに属する前記点状光源が実装された第２光源実装基板とを有し、
前記第１光源実装基板と前記第２光源実装基板とが交互に配置されていることを特徴とする照明装置。
【請求項２４】
請求項１から請求項２３のいずれか１項に記載の照明装置と、
前記照明装置からの光を利用して表示を行う表示パネルと、を備えることを特徴とする表示装置。
【請求項２５】
前記表示パネルが液晶を用いた液晶パネルであることを特徴とする請求項２４に記載の表示装置。
【請求項２６】
請求項２４又は請求項２５に記載された表示装置を備えることを特徴とするテレビ受信装置。
【国際調査報告】
2010147007.tif 000020
2010147007.tif 000021
2010147007.tif 000022
2010147007.tif 000023